(57)【要約】      （修正有）【課題】感染力の高いウイルスに感染した者又はその疑いがある者からの汚物を、確実に、かつ、直ちに処理することができる汚物処理セットを提供する。【解決手段】少なくとも下記の（ア）〜（エ）を含むことを特徴とする汚物処理セット。（ア）ダンボール箱からなり、直方体形状で、その上面には、凹部１１が形成され、該凹部に取っ手１２が形成されており、積み重ねが可能なように、上面１０ａは上記凹部を除いて平坦であり、内部に一式の汚物処理セットを収容できるように構成され、正面、背面及び側面に処理セットの内容及び汚物処理マニュアルが記載された処理用具収容容器１０、（イ）直方体の上に略四角推台を積み重ねた形状からなり、上記四角推台の上面に相当する部分に蓋が設けられ、上記四角推台の一側面に相当する部分に取っ手が設けられ、次亜塩素酸ナトリウムを含む除菌液が収容された除菌剤入り容器、（ウ）凝固材入り袋、（エ）ポリ袋。【選択図】図２
0003188121.tif 000002
【実用新案登録請求の範囲】
【請求項１】
ウイルス感染者又はその疑いがある者からの汚物を処理するための汚物処理セットであって、少なくとも下記の（ア）〜（エ）に記載の処理用具収容容器及び処理用具を含むことを特徴とする汚物処理セット。
（ア）ダンボール箱からなり、直方体形状で、その上面には、凹部が設けられ、該凹部に取っ手が形成されており、積み重ねが可能なように、上面は前記凹部を除いて平坦であり、内部に一式の汚物処理セットを収容できるように構成され、正面、背面及び側面に処理用具の内容及び汚物処理マニュアルが記載された処理用具収容容器
（イ）直方体の上に略四角推台を積み重ねた形状からなり、前記四角推台の上面に相当する部分に蓋が設けられ、前記四角推台の一側面に相当する部分に取っ手が設けられ、次亜塩素酸ナトリウムを含む除菌液が収容された除菌剤入り容器
（ウ）凝固材入り袋
（エ）ポリ袋
【請求項２】
さらに、下記の（オ）〜（サ）の処理用具を含む請求項１に記載の汚物処理セット。
（オ）ペーパータオル
（カ）マスク
（キ）プラスチック製靴カバー
（ク）プラスチック製エプロン
（ケ）１双のプラスチック製手袋と１双のゴム製手袋
（コ）略三角形のダンボールからなり、回収した物を確保できるよう、少なくとも２辺に側壁形成のための延設部が設けられたヘラ
（サ）縦横の辺と比較して高さの低い直方体形状からなり、一側面の少なくとも一部が開放され、上面の前記開放面に接する両側の縁部の一部に切込が形成され、該切込部分を含む上面を外側に折り返すことにより、内部に汚物を含む物を収容できるように構成されたちりとり
【請求項３】
前記（イ）の除菌剤入り容器中に収容された除菌液中の次亜塩素酸ナトリウムの濃度は、８００〜１５００ｐｐｍである請求項１又は２に記載の汚物処理セット。
【請求項４】
前記ウイルス感染者又はその疑いがある者からの汚物は、ノロウイルス感染者からの嘔吐物である請求項１〜３のいずれかに記載の汚物処理セット。
【考案の詳細な説明】
【技術分野】
【０００１】
本考案は、汚物処理セットに関する。
【背景技術】
【０００２】
ノロウイルスは、非細菌性急性胃腸炎を引き起こすウイルスの一属であり、カキなどの貝類の摂食による食中毒の原因となる。ノロウイルスは、感染したヒトの糞便や吐瀉物、あるいはそれらが乾燥したものから出る塵埃を介して経口感染するため、吐瀉物等の処理は非常に難しく、簡単に処理しようとすると、二次感染が発生する危険があり、処理時に確実に殺菌する必要がある。
【０００３】
ノロウイルスの殺菌には、次亜塩素酸が効果的であり、次亜塩素酸を含む殺菌剤も市販されているが、使用の際には、薄めて使用する必要があり、取り扱いが不便であった。また、直ぐに使える濃度まで次亜塩素酸を薄めた溶液としておけば、使い勝手はよいが、従来において調製された殺菌剤は、安定性がなく、短期間で分解してしまい、殺菌力がなくなるという問題があった。
【０００４】
さらに、上記したように、ノロウイルスに感染した患者等の嘔吐物等は、二次感染を引き起こさないように、非常に慎重に取り扱う必要があり、処理に必要な道具を揃えてから処理する必要がある。しかし、嘔吐物等が発生してから道具を揃えるのでは、時間がかかってしまい、迅速に処理できないため、汚染が拡がる危険性があり、迅速に処理するために、一通りの道具が揃った処理セットが求められていた。
【０００５】
従来の汚物等を処理する道具に関する発明として、特許文献１には、犬の糞等の汚物を捕集するために使用される水溶性の汚物捕集部材と、捕集した汚物を汚物捕集部材ごと収容する水溶性の汚物収容部材とが略直線状のミシン目によって分離可能に結合して構成され、汚物捕集部材には、互いに係合して汚物捕集部材をＵ字形状にならしめる切れ込みが、ミシン目から離れた位置の外縁に形成されており、汚物収容部材のミシン目付近に貫通孔が形成されたものが開示されている。
【先行技術文献】
【特許文献】
【０００６】
【特許文献１】特開２００７−１５９５３８号公報
【考案の概要】
【考案が解決しようとする課題】
【０００７】
しかしながら、引用文献１に記載されたものは、汚物を収容することはできるものの、ウイルス等の感染を防止する観点からは考えられたものではなく、感染を防止しながら汚物等を処理するという点からは不充分なものであった。
【０００８】
本考案は、上記のような課題を解決するためになされたものであり、感染力の高いウイルスに感染した者又はその疑いがある者からの汚物を、二次感染等を引き起こすことなく、確実に、かつ、直ちに処理することができる汚物処理セットを提供することを目的とする。
【課題を解決するための手段】
【０００９】
上記目的を達成するため、本考案の汚物処理セットは、ウイルス感染者又はその疑いがある者からの汚物を処理するための汚物処理セットであって、少なくとも下記の（ア）〜（エ）に記載の処理用具収容容器及び処理用具を含むことを特徴とする汚物処理セット。
（ア）ダンボール箱からなり、直方体形状で、その上面には、凹部が形成され、該凹部に取っ手が形成されており、積み重ねが可能なように、上面は上記凹部を除いて平坦であり、内部に一式の汚物処理セットを収容できるように構成され、正面、背面及び側面に処理用具の内容及び汚物処理マニュアルが記載された処理用具収容容器
（イ）直方体の上に略四角推台を積み重ねた形状からなり、上記四角推台の上面に相当する部分に蓋が設けられ、上記四角推台の一側面に相当する部分に取っ手が設けられ、次亜塩素酸ナトリウムを含む除菌液が収容された除菌剤入り容器
（ウ）凝固材入り袋
（エ）ポリ袋
【００１０】
本考案の汚物処理セットでは、さらに、下記の（オ）〜（サ）の処理用具を含むことが望ましい。
（オ）ペーパータオル
（カ）マスク
（キ）プラスチック製靴カバー
（ク）プラスチック製エプロン
（ケ）１双のプラスチック製手袋と１双のゴム製手袋
（コ）略三角形のダンボールからなり、回収した物を確保できるよう、少なくとも２辺に側壁形成のための延設部が設けられたヘラ
（サ）縦横の辺と比較して高さの低い直方体形状からなり、一側面の少なくとも一部が開放され、上面の上記開放面に接する両側の縁部の一部に切込が形成され、該切込部分を含む上面を外側に折り返すことにより、内部に汚物を含む物を収容できるように構成されたちりとり
【００１１】
また、本考案の汚物処理セットでは、上記（イ）の除菌剤入り容器中に収容された除菌液中の次亜塩素酸ナトリウムの濃度は、８００〜１５００ｐｐｍであることが望ましい。
【００１２】
また、本考案の汚物処理セットでは、上記ウイルス感染者又はその疑いがある者からの汚物が、ノロウイルス感染者からの嘔吐物である場合に、特に有効である。
【考案の効果】
【００１３】
本考案の汚物処理セットでは、感染力の高いウイルスに感染した者又はその疑いがある者からの汚物を処理することができる処理用具が揃っているので、二次感染等を引き起こすことなく、確実に、かつ、直ちに処理することができる。
また、除菌剤入り容器に収容された除菌液中の次亜塩素酸ナトリウムの濃度を８００〜１５００ｐｐｍに設定することができ、この場合、次亜塩素酸ナトリウムの濃度を調整する必要がなく、水等で希釈することなく、直ちに殺菌処理を行うことができる。
また、電車やバス等の車内等、水のない所でも、本考案の汚物処理セットを備えていれば、直ぐに処理することができる。
本考案の汚物処理セットは、特に、上記ウイルス感染者又はその疑いがある者からの汚物が、ノロウイルス感染者からの嘔吐物である場合に有効であり、二次感染等を引き起こすことなく、確実に、かつ、直ちに処理することができる。
【図面の簡単な説明】
【００１４】
【図１】図１は、本考案に係るダンボール紙からなる処理用具収容容器の展開図である。
【図２】図２は、本考案に係る処理用具収容容器を模式的に示す斜視図である。
【図３】図３は、本考案に係る処理用具収容容器に収容されている除菌剤入り容器を模式的に示す斜視図である。
【図４】図４は、本考案の汚物処理セットのそれぞれの処理用具を示す斜視図である。
【図５】図５は、本考案の汚物処理セットを用いた汚物処理マニュアルを示す説明図である。
【考案を実施するための形態】
【００１５】
本考案の汚物処理セットは、ウイルス感染者又はその疑いがある者からの汚物を処理するための汚物処理セットであって、少なくとも下記の（ア）〜（エ）に記載の処理用具収容容器及び処理用具を含むことを特徴とする。
（ア）ダンボール箱からなり、直方体形状で、その上面には、凹部が形成され、該凹部に取っ手が形成されており、積み重ねが可能なように、上面は上記凹部を除いて平坦であり、内部に一式の汚物処理セットを収容できるように構成され、正面、背面及び側面に処理用具の内容及び汚物処理マニュアルが記載された処理用具収容容器
（イ）直方体の上に略四角推台を積み重ねた形状からなり、上記四角推台の上面に相当する部分に蓋が設けられ、上記四角推台の一側面に相当する部分に取っ手が設けられ、次亜塩素酸ナトリウムを含む除菌液が収容された除菌剤入り容器
（ウ）凝固材入り袋
（エ）ポリ袋
【００１６】
また、本考案の汚物処理セットは、下記の（オ）〜（サ）の処理用具を含むことが望ましい。
（オ）ペーパータオル
（カ）マスク
（キ）プラスチック製靴カバー
（ク）プラスチック製エプロン
（ケ）１双のプラスチック製手袋と１双のゴム製手袋
（コ）略三角形のダンボールからなり、回収した物を確保できるよう、少なくとも２辺に側壁形成のための延設部が設けられたヘラ
（サ）縦横の辺と比較して高さの低い直方体形状からなり、一側面の少なくとも一部が開放され、上面の上記開放面に接する両側の縁部の一部に切込が形成され、該切込部分を含む上面を外側に折り返すことにより、内部に汚物を含む物を収容できるように構成されたちりとり
【００１７】
以下、上記した本考案に係る収容容器である処理用具収容容器（ア）と（イ）〜（サ）の処理用具について順次説明する。
【００１８】
まず、本考案に係る（ア）処理用具収容容器について説明する。
図１は、本考案に係る処理用具収容容器の展開図であり、図２は、本考案に係る処理用具収容容器を模式的に示す斜視図である。
本考案に係る処理用具収容容器は、図１に示す形状のダンボール紙１０Ａを組み立て、接着剤を使用して必要な部分を接着することにより、図２に示す形状のダンボール箱からなる処理用具収容容器１０が完成する。
この処理用具収容容器１０は、縦横の辺と比較して高さの高い直方体形状であり、該直方体の上面１０ａには、箱状の凹部１１が形成され、凹部１１の内部に取っ手１２が設けられており、簡単に持ち運びできるようになっている。
【００１９】
また、積み重ねが可能なように、上面１０ａは凹部１１を除いて平坦であり、複数個の処理用具収容容器１０を積み重ねることができるため、輸送等においても効率的に輸送することができ、倉庫等に貯蔵する際には、小さな空間に多数の汚物処理セットを貯蔵することができる。
【００２０】
この処理用具収容容器１０の内部には、一式の処理用具を収容することができる。また、汚物等を処理する必要が生じた場合に、汚物処理セットを使用してどのように処理すればよいかが、直ちにわかるように、正面、背面及び他の側面に処理用具の内容（上記した（ア）〜（サ）の処理用具）及び汚物処理マニュアルが記載されている。図３及び図４は、処理用具を模式的に示す斜視図であり、図５は、汚物処理マニュアルの一例を模式的に示す説明図である。
【００２１】
次に、上記処理用具収容容器に収容されている処理用具の一つである（イ）除菌剤入り容器について説明する。
図３は、除菌剤入り容器を模式的に示す斜視図である。
この除菌剤入り容器２０は、縦長の容器であり、直方体の上に略四角推台を積み重ねた形状からなり、上記四角推台の上面に相当する部分に蓋２１が設けられ、上記四角推台の一側面に相当する部分に取っ手２２が設けられ、次亜塩素酸ナトリウムを含む除菌液が収容されている。この除菌剤入り容器２０は、縦長で、適切な位置に取っ手２２が設けられているので、中に収容された次亜塩素酸ナトリウムを含む除菌液を、周囲に飛散させることなく、除菌液を、容易に対象となる汚物等に注ぐことができる。
この除菌剤入り容器２０に次亜塩素酸ナトリウムが８００〜１５００ｐｐｍ含まれており、そのまま殺菌剤として使用することができる。また、この除菌液に含まれる次亜塩素酸ナトリウムは、分解しにくく、長期に渡って除菌の効果を維持することができる。ただし、製造日より６カ月経過すると次亜塩素酸が部分的に分解し、有効濃度を下回っている可能性があるので、新しい除菌剤入り容器を補充する必要がある。
【００２２】
図４は、種々の処理用具を模式的に示す斜視図である。図４（ａ）は、凝固材入り袋であり、図４（ｂ）は、（エ）ポリ袋であり、図４（ｃ）は、（オ）ペーパータオルであり、図４（ｄ）は、（カ）マスクであり、図４（ｅ）は、（キ）プラスチック製靴カバーであり、図４（ｆ）は、（ク）プラスチック製エプロンであり、図４（ｇ）は、（ケ）１双のプラスチック製手袋と１双のゴム製手袋であり、図４（ｈ）は、（コ）ヘラであり、図４（ｉ）は、（サ）ちりとりである。
【００２３】
次に、（ウ）凝固材入り袋について説明する。
この凝固材入り袋３０は、図４（ａ）に示すように、プラスチック製の袋３１の中に、嘔吐物等の液体の汚物を凝固させることができる凝固剤の粉末３２が収容されており、汚物を処理する際には、汚物に最初に凝固剤の粉末３２を振りかけることにより、汚物を凝固させて処理し易くする。
【００２４】
図４（ｂ）に示すポリ袋４０は、言うまでもなく、汚物等を収容するための袋であり、最終的には、略すべての処理用具を収容して廃棄することにより、安全に汚物の処理を完了することができる。
【００２５】
図４（ｃ）に示すペーパータオル５０は、汚物を取り除く際や汚物を一旦取り除いた後、汚物が存在していた場所に存在する残渣等をきれいに拭き取るために使用する。その枚数は、特に限定されるものではないが、茶色のものが４枚程度、白いものが１０枚程度用意されていることが望ましい。
【００２６】
図４（ｄ）に示すマスク６０は、経口感染を防止するため、処理を行うものが着用する。
図４（ｅ）に示すプラスチック製靴カバー７０は、足からの二次感染を防止するために着用するもので、プラスチックであるため、液体等の靴への付着を完全に防止することができる。
【００２７】
図４（ｆ）に示す（ク）プラスチック製エプロン８０は、処理者の体への汚物等の付着を防止するものであり、図４（ｇ）に示す（ケ）１双のプラスチック製手袋と１双のゴム製手袋９０は、処理者の手への汚物等の付着を防止するものである。
【００２８】
図４（ｈ）に示す（コ）ヘラは、凝固剤が振りかけられた汚物を回収するために使用するものであり、略三角形のダンボールからなり、回収した物を確保できるよう、少なくとも２辺に側壁形成のための延設部が設けられている。
図４に示すヘラ１００は、具体的には、上底の長さが短く、高さの高い台形であり、脚となる２辺に側壁を形成するための２つの側壁部１０１が設けられており、脚となる辺には折り目が形成されている。２つの側壁部１０１には、さらに上底部分をカバーするための延設部（図示せず）が折り目を介して上底側に設けられており、一方の延設部には切込が形成され、他方の延設部には、切込に挿入するための突出部が形成されている。
【００２９】
従って、ヘラ１００を使用する際には、折り目を境として側壁部１０１を内側に屈曲させ、突出部が形成された延設部の一方をさらに内側に屈曲させ、他方の延設部の切込に突出部を挿入する。このようにすることにより、図４（ｈ）に示すような、上底及び２つの脚の周囲に側壁が形成されたヘラ１００が完成するので、このヘラ１００を用いて回収した汚物の凝固物等を確保し、下記するちりとり１１０の内部に移動させる。なお、図４（ｈ）では、上記した延設部は、省略している。
【００３０】
図４（ｉ）に示す（サ）ちりとり１１０は、縦横の辺と比較して高さの低い直方体形状からなり、一側面１１０ａの一部が開放され、上面の上記開放面に接する両側の縁部の一部に切込１１０ｂが形成され、切込１１０ｂを含む上面の折り返し部分１１１を外側に折り返すことにより、内部に汚物を含む物を収容できるように構成されている。また、図４（ｉ）に示すように、折り返し部分に指が入るような貫通孔１１１ａを２個形成し、２個の貫通孔１１１ａの間で再度折り曲げ、ちりとり１１０を持ち易くしてもよい。
【００３１】
次に、これら本考案に係る汚物処理セットを用いた汚物処理方法について説明する。
１．最初に、マニュアルの処理前の準備に記載されている内容に従って、処理前の準備を行う。
まず、（サ）ちりとり１１０の上面の折り返し部分１１１を折り返し、内部に汚物等をちりとり１１０の内部に収容したり、取り出したりし易くする。
【００３２】
２．次に、ポリ袋４０を開け、内部に汚物等を収容できる状態にしておく。
３．次に、プラスチック製手袋９０、ゴム製手袋９０、プラスチック製エプロン８０、マスク６０を着用する。手袋は、二重にする。プラスチック製靴カバー７０を靴の上から着用する。
【００３３】
上記１、２、３で準備が整ったら、いよいよ汚物の処理にとりかかる。
図５は、この汚物処理の手順を示す汚物処理マニュアルであり、（１）〜（１３）の手順が記載されている。
（１）まず、ポリ袋から凝固材入り袋３０を取り出した後、汚物等に凝固剤の粉末３２を振りかけ、汚物等を凝固させる。
【００３４】
（２）次に、凝固させた汚物の上にペーパータオル５０を載せ、凝固した汚物が飛散しない状態とした後、上記方法により組み立てたヘラ１００を用いて汚物をちりとり１１０の内部に移動させる。その際、凝固した汚物が飛び散らないように気をつける。
【００３５】
（３）次に、凝固した汚物をヘラ１００、ちりとり１１０ごと、ポリ袋４０の内部に投入する。
【００３６】
（４）次に、外側のプラスチック製手袋９０を外し、ポリ袋４０に入れる。
（５）さらに、プラスチック製靴カバー７０を除菌液に浸したペーパータオル５０で拭くが、靴底に相当する部分は、除菌液に浸したペーパータオル５０を床に敷いて、その上で足踏みして、除菌液と接触させる。
【００３７】
（６）次に、ポリ袋４０の内容物を浸す程度にポリ袋４０の内部に除菌剤を入れる。
（７）次に、ポリ袋４０の口を縛り、液がもれにくい状態とした後、未使用のポリ袋４０の内部に入れ、ポリ袋４０を二重とし、液が漏れにくい状態とする。
【００３８】
（８）汚物のあった場所及びその周辺にペーパータオル５０を敷き、除菌液を注ぎ、一定時間後、ポリ袋４０に入れる。
（９）また、別の除菌液に浸したペーパータオル５０で汚染箇所を拭きとることにより、汚物等を完全に除去した後、ペーパータオル５０をポリ袋４０に入れる。
【００３９】
（１０）汚物があった部分の床等の水拭きを行う。
（１１）プラスチック製靴カバー７０、ゴム製手袋９０、プラスチック製エプロン８０、マスク６０の順に外し、ポリ袋４０に入れる。
【００４０】
（１２）除菌液が入っていた容器２０、汚物処理用具が収容されていた処理用具収容容器１０をポリ袋４０に入れ、口をしっかり縛り、廃棄する。
（１３）この後、手洗い、うがいを充分に行う。
【００４１】
本考案の汚物処理セットを用い、上述の方法により、ノロウイルス等のウイルス感染者又はその疑いがある者からの汚物、すなわち、嘔吐物、排泄物等を二次感染等を引き起こすことなく、確実に、かつ、直ちに処理することができる。
【符号の説明】
【００４２】
１０  処理用具収容容器
１０Ａ  ダンボール紙
１０ａ  上面
１１  凹部
１２  取っ手
２０  除菌剤入り容器
２１  蓋
２２  取っ手
３０  凝固材入り袋
４０  ポリ袋
５０  ペーパータオル
６０  マスク
７０  プラスチック製靴カバー
８０  プラスチック製エプロン
９０  １双のプラスチック製手袋と１双のゴム製手袋
１００  ヘラ
１０１  側壁部
１１０  ちりとり
１１０ｂ  切込
１１１  折り返し部分
１１１ａ  貫通孔
【図３】
0003188121.tif 000003
【図４】
0003188121.tif 000004
【図１】
0003188121.tif 000005
【図２】
0003188121.tif 000006
【図５】
0003188121.tif 000007
【手続補正書】
【提出日】平成25年10月29日(2013.10.29)
【手続補正１】
【補正対象書類名】図面
【補正対象項目名】図１
【補正方法】変更
【補正の内容】
【図１】
0003188121.tif 000008
【手続補正２】
【補正対象書類名】図面
【補正対象項目名】図２
【補正方法】変更
【補正の内容】
【図２】
0003188121.tif 000009